(57)【特許請求の範囲】
【請求項１】
絶縁電線用巻付けバインドが内方に挿通され、前記絶縁電線用巻付けバインドを電線に対して巻付け又は取り外し方向に取り回すためのループ状で、かつ、弾性体からなる可変ガイド部と、
電線に密着するように取り付けられた前記絶縁電線用巻付けバインドの端部を前記電線から離隔するための起こし部とを備えることを特徴とする巻付けグリップトング。
【請求項２】
端部が環状に形成された環状絶縁電線用巻付けバインドを電線に対して巻付け又は取り外し方向に取り回すためのループ状で、かつ、弾性体からなる可変ガイド部と、前記環状絶縁電線用巻付けバインドの端部を前記電線から離隔するための起こし部とを備える巻付けグリップトングを用いて、
前記環状絶縁電線用巻付けバインドを前記可変ガイド部の内方に挿通し、
前記環状絶縁電線用巻付けバインドを緩く掴んだ状態で、前記可変ガイド部を巻付け方向に移動させるとともに、前記環状に形成された端部を除いた部分を前記電線に螺旋状に巻付け、
前記環状に形成された端部を前記電線から離隔するように前記環状絶縁電線用巻付けバインドを前記電線に取り付けることを特徴とする環状絶縁電線用巻付けバインドを電線に取り付ける方法。
【請求項３】
端部が環状に形成された環状絶縁電線用巻付けバインドを電線に対して巻付け方向又は取り外し方向に取り回すためのループ状で、かつ、弾性体からなる可変ガイド部と、前記環状絶縁電線用巻付けバインドの端部を前記電線から離隔するための起こし部とを備える巻付けグリップトングを用いて、
前記環状に形成された端部に前記起こし部を掛けて前記環状絶縁電線用巻付けバインドの端部を前記電線より離間し、
前記環状絶縁電線用巻付けバインドを可変ガイド部の内方に挿通し、
前記環状絶縁電線用巻付けバインドを緩く掴んだ状態で、前記可変ガイド部を取り外し方向に移動させるとともに、前記環状絶縁電線用巻付けバインドを前記電線から取り外すことを特徴とする環状絶縁電線用巻付けバインドを電線から取り外す方法。
【発明の詳細な説明】
【技術分野】
【０００１】
本発明は、電線を碍子に保持する環状絶縁電線用巻付けバインドの脱着方法、並びに絶縁電線用巻付けバインドを電線に巻付けるための巻付けグリップトングに関するものである。
【背景技術】
【０００２】
従来の絶縁電線用巻付けバインドは、例えば、特許文献１に示すように、弾性及び高張力を有する金属線が絶縁被覆されており、長手方向の中央部が碍子の首部に巻回するように半円弧状に屈曲形成され、その両側部は電線に巻付くように螺旋状に屈曲形成されている。そして、碍子の首部に電線を配設し、絶縁電線用巻付けバインドの半円弧状の中央部を碍子の首部に掛け、螺旋状の両側部を電線に巻付けることにより、電線が碍子に保持される。金属線の弾性力により、絶縁電線用巻付けバインドの螺旋状の両側部にて電線が把持されている。
【特許文献１】特開２００３−２８１９５４号公報
【発明の開示】
【発明が解決しようとする課題】
【０００３】
しかし、従来より使用されている絶縁電線用巻付けバインドでは、電線及び絶縁電線用巻付けバインドが風等により振動を繰り返し受けるために、電線を把持するように巻付けられている巻付けバインドの端部が次第に電線に食い込んで、巻付けバインド端部の被覆と電線の被覆とが互いに損傷して互いの金属部分が露出する可能性があるという問題点があった。そして、電線の金属部分が露出すると地絡等の発生の可能性があるという問題点もあった。また、電線に食い込んだ巻付けバインドの端部を電線から離隔させる際に電線を傷つけてしまうという問題点もあった。
【０００４】
そこで、本発明は、上記の問題点を鑑みてなされたものであり、その目的は、電線に食い込まない環状絶縁電線用巻付けバインドの脱着方法、並びに絶縁電線用巻付けバインドを容易に電線に巻付けることが可能な巻付けグリップトングを提供するものである。
【課題を解決するための手段】
【０００９】
本発明の巻付けグリップトングは、絶縁電線用巻付けバインドが内方に挿通され、前記絶縁電線用巻付けバインドを電線に対して巻付け又は取り外し方向に取り回すためのループ状で、かつ、弾性体からなる可変ガイド部と、電線に密着するように取り付けられた前記絶縁電線用巻付けバインドの端部を前記電線から離隔するための起こし部とを備えることを特徴とする。
【００１０】
本発明による巻付けグリップトングによれば、可変ガイド部はループ形状で、かつ弾性体からなるために、変形して絶縁電線用巻付けバインドを緩く挟むことが可能となる。したがって、絶縁電線用巻付けバインドが可変ガイド部内を移動自在とならないために、従来の変形しないガイド部と比べて絶縁電線用巻付けバインドの巻付け作業が容易となり、作業効率が向上する。
【００１１】
本発明の環状絶縁電線用巻付けバインドを電線に取り付ける方法は、端部が環状に形成された環状絶縁電線用巻付けバインドを電線に対して巻付け又は取り外し方向に取り回すためのループ状で、かつ、弾性体からなる可変ガイド部と、前記環状絶縁電線用巻付けバインドの端部を前記電線から離隔するための起こし部とを備える巻付けグリップトングを用いて、前記環状絶縁電線用巻付けバインドを前記可変ガイド部の内方に挿通し、前記環状絶縁電線用巻付けバインドを緩く掴んだ状態で、前記可変ガイド部を巻付け方向に移動させるとともに、前記環状に形成された端部を除いた部分を前記電線に螺旋状に巻付け、前記環状に形成された端部を前記電線から離隔するように前記環状絶縁電線用巻付けバインドを前記電線に取り付けることを特徴とする。
【００１２】
本発明による環状絶縁電線用巻付けバインドを電線に取り付ける方法によれば、可変ガイド部にて環状絶縁電線用巻付けバインドを緩く挟んだ状態で電線に巻付けるために、環状絶縁電線用巻付けバインドがガイド部内で移動自在とならず容易に電線に巻付けることが可能となる。また、環状絶縁電線用巻付けバインドを電線に取り付けた際に環状の端部は電線から離隔しているために、電線に食い込まない。したがって、電線及び環状絶縁電線用巻付けバインドが風等により振動を繰り返し受けても電線を傷つけることがない。
【００１３】
本発明の環状絶縁電線用巻付けバインドを電線から取り外す方法は、端部が環状に形成された環状絶縁電線用巻付けバインドを電線に対して巻付け方向又は取り外し方向に取り回すためのループ状で、かつ、弾性体からなる可変ガイド部と、前記環状絶縁電線用巻付けバインドの端部を前記電線から離隔するための起こし部とを備える巻付けグリップトングを用いて、前記環状に形成された端部に前記起こし部を掛けて前記環状絶縁電線用巻付けバインドの端部を前記電線より離間し、前記環状絶縁電線用巻付けバインドを可変ガイド部の内方に挿通し、前記環状絶縁電線用巻付けバインドを緩く掴んだ状態で、前記可変ガイド部を取り外し方向に移動させるとともに、前記環状絶縁電線用巻付けバインドを前記電線から取り外すことを特徴とする。
【００１４】
本発明による環状絶縁電線用巻付けバインドを電線から取り外す方法によれば、環状部分に巻付けグリップトングの起こし部を掛けることにより電線を傷つけることなく、環状絶縁電線用巻付けバインドの端部近傍を電線から離隔させることが可能となる。
【００１５】
また、可変ガイド部にて環状絶縁電線用巻付けバインドを緩く挟むことにより、環状絶縁電線用巻付けバインドがガイド部内で移動自在とならないために、環状絶縁電線用巻付けバインドを容易に電線から取り外すことが可能となる。
【発明の効果】
【００１６】
本発明によれば、環状絶縁電線用巻付けバインドの端部が環状に形成されているために、電線に食い込まない。また、端部が電線に食い込まないために、電線を傷つけることなく環状絶縁電線用巻付けバインドを電線から取り外すことが可能となる。また、本発明による巻付けグリップトングを用いることにより環状絶縁電線用巻付けバインドを短時間で効率的に脱着することが可能となる。
【発明を実施するための最良の形態】
【００１７】
以下、本発明に係る好ましい実施形態について図面を用いて詳細に説明する。  
図１は、本発明の実施形態に係る環状絶縁電線用巻付けバインドの平面図である。図１に示すように、環状絶縁電線用巻付けバインド１は、弾性及び高張力を有する金属棒と、この金属棒を被覆する合成樹脂等の被覆材とからなり、両端部２は環状に形成されている。本実施形態において環状絶縁電線用巻付けバインド１は、棒状の絶縁電線用巻付けバインドの両端部をペンチ等にて環状に曲げたものを用いる。
【００１８】
図２は、本実施形態に係る巻付けグリップトングを示す図である。図２に示すように、巻付けグリップトング４は、ループ形状を有し、変形可能な可変ガイド部５と、リング形状を有する固定ガイド部６と、環状絶縁電線用巻付けバインド１を電線１１から離隔するための起こし部７とを備える。
【００１９】
可変ガイド部５及び固定ガイド部６は、環状絶縁電線用巻付けバインド１を内方に挿通し、環状絶縁電線用巻付けバインド１を電線１１に対して巻付け又は取り外し方向に取り回す際に使用する。本実施形態において、可変ガイド部５は弾性体からなり、例えば、ゴムひもを用いる。また、固定ガイド部６の材料は、例えば、鉄等の金属材を用いる。また、可変ガイド部５は固定ガイド部６に締結されている。
【００２０】
なお、本実施形態においては、可変ガイド部５の材料としてゴムひもを用いたが、これに限定されるものではない。  
また、本実施形態においては、固定ガイド部６を有する巻付けグリップトング４について説明したが、これに限定されるものではなく、固定ガイド部６の無い巻付けグリップトング４を用いてもよい。
【００２１】
次に、環状絶縁電線用巻付けバインド１を巻付けグリップトング４を用いて電線１１に取り付ける方法について施工手順にしたがって説明する。  
図３〜図５は、本実施形態に係る環状絶縁電線用巻付けバインド１を電線１１に取り付ける方法を示し、図６は、本実施形態に係る環状絶縁電線用巻付けバインド１を電線１１に取り付けた状態を示す図である。
【００２２】
まず、図３に示すように、まず、環状絶縁電線用巻付けバインド１の中央部３を碍子８の首部９に巻回するように半円弧状に屈曲形成し、電線１１が碍子８に保持されるように環状絶縁電線用巻付けバインド１を取り付ける。
【００２３】
そして、環状絶縁電線用巻付けバインド１の一端を可変ガイド部５の内方に挿通し、巻付けグリップトング４を巻付け方向に移動させ、環状絶縁電線用巻付けバインド１の弾性力を利用して可変ガイド部５をぴんと張った状態にして、この可変ガイド部５にて環状絶縁電線用巻付けバインド１を緩く挟む。
【００２４】
次に、図４に示すように、環状絶縁電線用巻付けバインド１を緩く挟んだ状態で、この可変ガイド部５を巻付け方向に回動させるように巻付けグリップトング４を操作し、環状絶縁電線用巻付けバインド１の中央部３から端部２までを電線１１に螺旋状に巻付ける。
【００２５】
また、図５に示すように、巻付けグリップトング４を環状絶縁電線用巻付けバインド１の端面方向に移動させて、環状絶縁電線用巻付けバインド１を可変ガイド部５の内方から抜き出す。そして、巻付けグリップトング４の起こし部７を環状に形成された端部２に引っ掛ける。
【００２６】
そして、図６に示すように、起こし部７を電線１１から離れる方向に操作して、環状に形成された端部２を電線１１から離隔した位置に配設する。
【００２７】
環状絶縁電線用巻付けバインド１は、規定の耐用年数が経過したときは新しいものと交換される。次に、環状絶縁電線用巻付けバインド１を電線１１から取り外す方法について説明する。
【００２８】
図７及び図８は、本実施形態に係る環状絶縁電線用巻付けバインド１を電線１１から取り外す方法を示す図である。図７に示すように、巻付けグリップトング４の起こし部７を環状に形成された端部２に引っ掛けて、起こし部７を取り外し方向に回動させるように巻付けグリップトング４を操作し、端部２近傍を電線１１から離間させる。
【００２９】
そして、図８に示すように、起こし部７を端部２から抜き出し、環状絶縁電線用巻付けバインド１の一端を可変ガイド部５の内方に挿通し、巻付けグリップトング４を緩く挟む。環状絶縁電線用巻付けバインド１を緩く挟んだ状態で、この可変ガイド部５を取り外し方向に回動させるように巻付けグリップトング４を操作し、環状絶縁電線用巻付けバインド１を電線１１から取り外す。
【００３０】
以上説明した本実施形態の環状絶縁電線用巻付けバインド１によれば、端部２が環状に形成されているために、電線１１に巻付けた際に電線１１に食い込まない。したがって、電線１１及び環状絶縁電線用巻付けバインド１が長期間にわたって風等により振動を繰り返し受けても電線１１を傷つけることがない。また、端部２が環状に形成されているために、この環状部分に巻付けグリップトング４の起こし部７を掛けることにより短時間で、かつ容易に環状絶縁電線用巻付けバインド１の端部２近傍を電線１１から離隔させることが可能となる。そして、この端部２は電線１１から離隔しているために、電線１１を傷つけることなく環状絶縁電線用巻付けバインド１を電線１１から取り外すことが可能となる。
【００３１】
また、本実施形態の巻付けグリップトング４によれば、可変ガイド部５はループ形状で、かつ弾性体からなるために、変形して環状絶縁電線用巻付けバインド１を緩く挟むことが可能となる。したがって、環状絶縁電線用巻付けバインド１が可変ガイド部５内を移動自在とならないために、従来の固定ガイド部６と比べて環状絶縁電線用巻付けバインド１の巻付け作業が容易となり、作業効率が向上する。
【００３２】
そして、本実施形態の環状絶縁電線用巻付けバインド１を電線１１から取り外す方法によれば、環状部分に巻付けグリップトング４の起こし部７を掛けることにより電線１１を傷つけることなく、環状絶縁電線用巻付けバインド１の端部２近傍を電線１１から離隔させることが可能となる。また、可変ガイド部５にて環状絶縁電線用巻付けバインド１を緩く挟むことにより、環状絶縁電線用巻付けバインド１がガイド部内で移動自在とならないために、環状絶縁電線用巻付けバインド１を容易に電線１１から取り外すことが可能となる。
【００３３】
なお、本実施形態においては、環状絶縁電線用巻付けバインド１として棒状の絶縁電線用巻付けバインドの両端部２を折り曲げたもの用いる方法について説明したが、これに限定されるものではなく、予め両端部２が環状をなすように製作されたものを用いてもよい。
【図面の簡単な説明】
【００３４】
【図１】本発明の実施形態に係る環状絶縁電線用巻付けバインドの平面図である。
【図２】本実施形態に係る巻付けグリップトングを示す図である。
【図３】本実施形態に係る環状絶縁電線用巻付けバインドを電線に取り付ける方法を示す図である。
【図４】本実施形態に係る環状絶縁電線用巻付けバインドを電線に取り付ける方法を示す図である。
【図５】本実施形態に係る環状絶縁電線用巻付けバインドを電線に取り付ける方法を示す図である。
【図６】本実施形態に係る環状絶縁電線用巻付けバインドを電線に取り付けた状態を示す図である。
【図７】本実施形態に係る環状絶縁電線用巻付けバインドを電線から取り外す方法を示す図である。
【図８】本実施形態に係る環状絶縁電線用巻付けバインドを電線から取り外す方法を示す図である。
【符号の説明】
【００３５】
１  環状絶縁電線用巻付けバインド
２  端部
３  中央部
４  巻付けグリップトング
５  可変ガイド部
６  固定ガイド部
７  起こし部
８  碍子
９  首部
１１  電線
【図１】
0004799153.tif 000002
【図２】
0004799153.tif 000003
【図３】
0004799153.tif 000004
【図４】
0004799153.tif 000005
【図５】
0004799153.tif 000006
【図６】
0004799153.tif 000007
【図７】
0004799153.tif 000008
【図８】
0004799153.tif 000009